(57)【特許請求の範囲】
【請求項１】
遊技盤の表面に区画形成された遊技領域に包囲枠体を配置し、該包囲枠体の内部には、遊技球を旋回転動可能な球旋回転動機構を備えた遊技機において、
前記球旋回転動機構は、
前記遊技領域から遊技球を受け入れて当該球旋回転動機構内へ案内可能な案内供給路と、
該案内供給路から流下してきた遊技球を旋回転動可能な擂り鉢状の旋回転動部材と、
該旋回転動部材の下方に開設され、遊技球が進入可能な一般入球口および特定入球口と、
前記旋回転動部材と一般入球口および特定入球口との間に備えられた誘導回動部材と、
前記旋回転動部材および前記誘導回動部材を回動可能な旋回駆動部と、を備え、
前記遊技機は、前記旋回駆動部へ駆動信号を出力して旋回転動部材の回動制御を行う制御装置と、前記案内供給路内を流下する遊技球を検出可能な検出装置と、を有し、
前記検出装置は、前記案内供給路の上流側に配置された上流側検出部と、下流側に配置された下流側検出部と、から構成され、
前記旋回転動部材の中心に縦向きの旋回回動軸を設け、且つ、該旋回回動軸と同一直線上の位置には誘導回動軸を設け、
前記案内供給路の下流端を前記旋回転動部材の上方に臨ませるとともに、前記旋回転動部材の周方向に沿って開放し、
前記旋回転動部材のうち前記旋回回動軸の近傍には、遊技球を当該旋回転動部材から前記誘導回動部材へ放出可能な球放出孔を開設し、
前記誘導回動部材のうち前記球放出孔の下方に臨ませた箇所には、遊技球を保持可能な一般球保持部および特定球保持部を備え、
前記一般球保持部と前記一般入球口とを連通して遊技球を前記一般球保持部から前記一般入球口へ誘導可能とし、前記特定球保持部と前記特定入球口とを連通して遊技球を前記特定球保持部から前記特定入球口へ誘導可能とし、
前記旋回駆動部は、前記旋回転動部材を前記旋回回動軸が中心となる状態で前記案内供給路の下流端の開放方向に沿って回動し、且つ、前記誘導回動部材を前記誘導回動軸が中心となる状態で前記旋回転動部材と同方向且つ同速度で回動するように構成され、
前記制御装置は、前記検出装置により遊技球を検出すると、前記旋回転動部材を予め設定された回動時間に亘って回動する制御を行うように構成され、
遊技球を前記上流側検出部で検出してから前記下流側検出部で検出するまでの時間と、前記上流側検出部から前記下流側検出部までの離間距離とから球速度を算出し、該球速度に基づいて前記旋回転動部材の回動速度を設定可能とし、
前記案内供給路に第１遊技球、および該第１遊技球に後続する第２遊技球を流下させ、第１遊技球の球速度を第１球速度とし、第２遊技球の球速度を第２球速度とし、第１球速度に基づいて設定される前記旋回転動部材の回動速度を第１回動速度とし、第２球速度に基づいて設定される前記旋回転動部材の回動速度を第２回動速度とし、
前記第２球速度が前記第１球速度よりも速い場合には、前記第２回動速度を前記第１回動速度よりも低速に設定するように構成されたことを特徴とする遊技機。
【請求項２】
前記制御装置は、前記旋回転動部材を案内供給路の下流端の開放方向とは反対方向に沿って回動する状態に設定し、且つ、第２球速度が第１球速度よりも速い場合には、第２回動速度を第１回動速度よりも高速に設定するように構成されたことを特徴とする請求項１に記載の遊技機。
【発明の詳細な説明】
【技術分野】
【０００１】
本発明は、遊技盤の表面に区画形成された遊技領域に、遊技球を案内可能な案内装置を備えたパチンコ遊技機等の遊技機に関する。
【背景技術】
【０００２】
従来の遊技機、例えばパチンコ遊技機においては、区画部材により区画された遊技領域内に遊技球を発射して遊技を行い、遊技球を受け入れ可能な入球口に遊技球が入球することにより、賞球や大当り状態を発生させる等の所定の遊技価値を付与して遊技を行うように構成されている。また、遊技領域には遊技球を旋回転動可能な擂り鉢状の旋回転動部（所謂クルーン）を配設し、遊技球を遊技領域から旋回転動部へ受け入れて旋回転動させ、遊技者が旋回転動部上の遊技球の挙動、具体的には旋回転動し続ける様子を観て楽しむように構成されたものが提案されている（例えば、特許文献１参照）。なお、旋回転動部の中央部分には、遊技球を旋回転動部の下方へ放出するための球放出孔を開設してある。
【特許文献１】特開２００７−２９６００８号公報
【発明の開示】
【発明が解決しようとする課題】
【０００３】
ところで、特許文献１に示すような従来の旋回転動部では、遊技球が旋回転動し続ける時間や、旋回転動部へ供給されてから球放出孔から放出されるまでの時間、言い換えると遊技者が旋回転動部上の遊技球の挙動を観て楽しむ時間（球見せ時間）がほぼ一定となり、しかも、遊技球の挙動が単調になりがちである。この結果、遊技の興趣が薄れてしまうという問題が生じ易くなり、好ましくない。
【０００４】
そこで、本発明は、上記の事情に鑑みてなされたものであり、その目的は、旋回転動部上の遊技球の挙動や、旋回転動部上へ供給された遊技球が球放出孔に到達するまでの時間を変化させることができ、遊技の興趣の向上を図ることができる遊技機を提供しようとするものである。
【課題を解決するための手段】
【０００５】
本発明は、上記目的を達成するために提案されたものであり、請求項１に記載のものは、遊技盤の表面に区画形成された遊技領域に包囲枠体を配置し、該包囲枠体の内部には、遊技球を旋回転動可能な球旋回転動機構を備えた遊技機において、
前記球旋回転動機構は、
前記遊技領域から遊技球を受け入れて当該球旋回転動機構内へ案内可能な案内供給路と、
該案内供給路から流下してきた遊技球を旋回転動可能な擂り鉢状の旋回転動部材と、
該旋回転動部材の下方に開設され、遊技球が進入可能な一般入球口および特定入球口と、
前記旋回転動部材と一般入球口および特定入球口との間に備えられた誘導回動部材と、
前記旋回転動部材および前記誘導回動部材を回動可能な旋回駆動部と、を備え、
前記遊技機は、前記旋回駆動部へ駆動信号を出力して旋回転動部材の回動制御を行う制御装置と、前記案内供給路内を流下する遊技球を検出可能な検出装置と、を有し、
前記検出装置は、前記案内供給路の上流側に配置された上流側検出部と、下流側に配置された下流側検出部と、から構成され、
前記旋回転動部材の中心に縦向きの旋回回動軸を設け、且つ、該旋回回動軸と同一直線上の位置には誘導回動軸を設け、
前記案内供給路の下流端を前記旋回転動部材の上方に臨ませるとともに、前記旋回転動部材の周方向に沿って開放し、
前記旋回転動部材のうち前記旋回回動軸の近傍には、遊技球を当該旋回転動部材から前記誘導回動部材へ放出可能な球放出孔を開設し、
前記誘導回動部材のうち前記球放出孔の下方に臨ませた箇所には、遊技球を保持可能な一般球保持部および特定球保持部を備え、
前記一般球保持部と前記一般入球口とを連通して遊技球を前記一般球保持部から前記一般入球口へ誘導可能とし、前記特定球保持部と前記特定入球口とを連通して遊技球を前記特定球保持部から前記特定入球口へ誘導可能とし、
前記旋回駆動部は、前記旋回転動部材を前記旋回回動軸が中心となる状態で前記案内供給路の下流端の開放方向に沿って回動し、且つ、前記誘導回動部材を前記誘導回動軸が中心となる状態で前記旋回転動部材と同方向且つ同速度で回動するように構成され、
前記制御装置は、前記検出装置により遊技球を検出すると、前記旋回転動部材を予め設定された回動時間に亘って回動する制御を行うように構成され、
遊技球を前記上流側検出部で検出してから前記下流側検出部で検出するまでの時間と、前記上流側検出部から前記下流側検出部までの離間距離とから球速度を算出し、該球速度に基づいて前記旋回転動部材の回動速度を設定可能とし、
前記案内供給路に第１遊技球、および該第１遊技球に後続する第２遊技球を流下させ、第１遊技球の球速度を第１球速度とし、第２遊技球の球速度を第２球速度とし、第１球速度に基づいて設定される前記旋回転動部材の回動速度を第１回動速度とし、第２球速度に基づいて設定される前記旋回転動部材の回動速度を第２回動速度とし、
前記第２球速度が前記第１球速度よりも速い場合には、前記第２回動速度を前記第１回動速度よりも低速に設定するように構成されたことを特徴とする遊技機である。
【０００８】
請求項２に記載のものは、前記制御装置は、前記旋回転動部材を案内供給路の下流端の開放方向とは反対方向に沿って回動する状態に設定し、且つ、第２球速度が第１球速度よりも速い場合には、第２回動速度を第１回動速度よりも高速に設定するように構成されたことを特徴とする請求項１に記載の遊技機である。
【発明の効果】
【００１２】
本発明によれば、以下のような優れた効果を奏する。
請求項１に記載の発明によれば、球旋回転動機構は、遊技領域から遊技球を受け入れて当該球旋回転動機構内へ案内可能な案内供給路と、該案内供給路から流下してきた遊技球を旋回転動可能な擂り鉢状の旋回転動部材と、該旋回転動部材の下方に開設され、遊技球が進入可能な一般入球口および特定入球口と、旋回転動部材と一般入球口および特定入球口との間に備えられた誘導回動部材と、旋回転動部材および誘導回動部材を回動可能な旋回駆動部と、を備え、旋回転動部材の中心に縦向きの旋回回動軸を設け、且つ、該旋回回動軸と同一直線上の位置には誘導回動軸を設け、案内供給路の下流端を旋回転動部材の上方に臨ませるとともに、旋回転動部材の周方向に沿って開放し、旋回転動部材のうち旋回回動軸の近傍には、遊技球を当該旋回転動部材から誘導回動部材へ放出可能な球放出孔を開設し、誘導回動部材のうち球放出孔の下方に臨ませた箇所には、遊技球を保持可能な一般球保持部および特定球保持部を備え、一般球保持部と一般入球口とを連通して遊技球を一般球保持部から一般入球口へ誘導可能とし、特定球保持部と特定入球口とを連通して遊技球を特定球保持部から特定入球口へ誘導可能とし、旋回駆動部により、旋回転動部材を旋回回動軸が中心となる状態で案内供給路の下流端の開放方向に沿って回動し、且つ、誘導回動部材を誘導回動軸が中心となる状態で旋回転動部材と同方向且つ同速度で回動するようにしたので、旋回転動部材上へ落下した遊技球の転動勢を増大したり、転動勢を維持したり、あるいは遊技球の転動勢が急激に低減することを抑えたりすることができる。一方、旋回転動部材を案内供給路の下流端の開放方向とは反対方向へ回動すれば、旋回転動部材上へ落下した遊技球の転動勢を急激に低減することができる。したがって、旋回転動部材上の遊技球の挙動や、旋回転動部材上へ供給された遊技球が球放出孔に到達するまでの時間、言い換えると遊技者が旋回転動部材上の遊技球の挙動を観て楽しむ時間（球見せ時間）を変化させることができ、遊技の興趣の向上を図ることができる。また、旋回転動部材を回動していたとしても、この旋回転動部材から落下してきた遊技球を一般入球口あるいは特定入球口へ支障なく誘導することができる。
【００１３】
また、遊技機には、旋回駆動部へ駆動信号を出力して旋回転動部材の回動制御を行う制御装置と、案内供給路内を流下する遊技球を検出可能な検出装置と、を有し、制御装置は、検出装置により遊技球を検出すると、旋回転動部材を予め設定された回動時間に亘って回動する制御を行うように構成したので、旋回転動部材が回動し続けて遊技球の旋回運動を維持する不都合、ひいては遊技球が球放出孔へ到達せず、遊技が進まないという不都合を避けることができる。また、旋回転動部材を常時回動しておく必要がなく、遊技機の消費電力の低減を図ることができる。
【００１４】
さらに、検出装置は、案内供給路の上流側に配置された上流側検出部と、下流側に配置された下流側検出部とから構成され、制御装置は、遊技球を上流側検出部で検出してから下流側検出部で検出するまでの時間と、上流側検出部から下流側検出部までの離間距離とから球速度を算出し、該球速度に基づいて旋回転動部材の回動速度を設定可能とし、案内供給路に第１遊技球、および該第１遊技球に後続する第２遊技球を流下させ、第１遊技球の球速度を第１球速度とし、第２遊技球の球速度を第２球速度とし、第１球速度に基づいて設定される旋回転動部材の回動速度を第１回動速度とし、第２球速度に基づいて設定される旋回転動部材の回動速度を第２回動速度とし、旋回転動部材を案内供給路の下流端の開放方向に沿って回動する状態に設定し、且つ、第２球速度が第１球速度よりも速い場合には、第２回動速度を第１回動速度よりも低速に設定するように構成したので、旋回転動部材を案内供給路の下流端の開放方向と同じ方向へ回動している場合に、旋回転動部材上における転動勢が遊技球毎に極端にばらつくこと、ひいては、球見せ時間が極端に短くなる場合が生じてしまう不都合を避けることができる。また、旋回転動部材を常時一定速度で回動しておく必要がなく、遊技機の消費電力の低減を図ることができる。
【００１５】
請求項２に記載の発明によれば、制御装置は、前記旋回転動部材を案内供給路の下流端の開放方向とは反対方向に沿って回動する状態に設定し、且つ、第２球速度が第１球速度よりも速い場合には、第２回動速度を第１回動速度よりも高速に設定するように構成されたので、旋回転動部材を案内供給路の下流端の開放方向とは反対方向へ回動している場合に、旋回転動部材上における転動勢が遊技球毎に極端にばらつくこと、ひいては、球見せ時間が極端に短くなる場合が生じてしまう不都合を避けることができる。また、旋回転動部材を常時一定速度で回動しておく必要がなく、遊技機の消費電力の低減を図ることができる。
【発明を実施するための最良の形態】
【００１９】
以下、代表的な遊技機であるパチンコ遊技機を例に挙げて本発明の実施の最良の形態を図面に基づき説明する。図１はパチンコ遊技機の遊技盤の正面図である。
パチンコ遊技機の遊技盤１は、図１に示すように、矩形状の遊技盤本体２の表面にガイドレールやサイドケース等の区画部材３を止着して遊技領域４を区画形成し、該遊技領域４内の略中央に包囲枠体（センターケース）５を配設し、該包囲枠体５の後方には、遊技の進行に伴って演出表示を行う演出表示装置６を備えている。また、遊技領域４のうち包囲枠体５の下方には入賞ゲート７を配置し、包囲枠体５の側方（図１中、左側方）には入賞具８を配置し、包囲枠体５の左下方および右下方には、発光により各種の装飾表示を行うサイドランプ１０を配置している。さらに、入賞ゲート７の下方には大入賞口１２を配置し、入賞ゲート７、入賞具８、大入賞口１２や包囲枠体５等の取付部分を除いた遊技領域４内に障害釘（図示せず）を植設し、遊技領域４の下端には、入賞せずに流下した遊技球を回収するアウト口１５を設けている。そして、遊技盤１の裏側には、パチンコ遊技機における遊技制御を行う遊技制御装置と、遊技進行に伴う演出の制御を行う演出制御装置とを備えている（何れも図示せず）。なお、遊技制御装置は、本発明における制御装置として機能する。
【００２０】
次に、包囲枠体５について説明する。
包囲枠体５は、図２（ａ）に示すように、包囲枠体５のベースとなる枠体基部１８を備え、該枠体基部１８の内部には凹室１９を包囲枠体５の前方へ開放した状態で形成し、該凹室１９の後部には表示用開口部２０を開設し、該表示用開口部２０から演出表示装置６の表示画面を臨ませている。また、包囲枠体５の前縁部には、遊技盤１の表面側に止着される環状の装飾枠部２１を設け、該装飾枠部２１の上部には、装飾枠部２１よりも前方へ突出した庇状の鎧部２２を左右両側方へ向けて下り傾斜した状態で備え、鎧部２２の一側寄りの部分（図２（ａ）中、左寄りの部分）を他側寄りの部分（図２（ａ）中、右寄りの部分）よりも低い位置に設定して段差部２２ａを形成している。さらに、鎧部２２の左右両側の傾斜下端から縦向きの側辺部２３を装飾枠部２１よりも前方へ突出した状態で備え、装飾枠部２１の下部の後側には、遊技球が横方向（前後方向および左右方向）へ転動可能なステージ部２５を配置している。そして、一側（図２（ａ）中、左側）の側辺部２３内には、遊技球が流下可能な球導入路（ワープ流路）２６を設け、球導入路２６の入口２６ａを包囲枠体５の側方（図２（ａ）中、左側方）へ開放した状態で開設し、球導入路２６の出口２６ｂをステージ部２５の側方（図２（ａ）中、左側方）へ向けて開放し、遊技球が遊技領域４から球導入路２６を通ってステージ部２５上へ到達できるように構成されている。また、凹室１９の他側寄り（図２（ａ）中、右寄り）の位置のうち表示用開口部２０と装飾枠部２１との間にはベースパネル２８を配置し（図３参照）、該ベースパネル２８には、遊技球を案内可能な案内装置３０を一部が装飾枠部２１よりも前方へ突出した状態で備え、該案内装置３０の下方には、遊技球を旋回転動可能な球旋回転動機構３２を備え、該球旋回転動機構３２の上方および前方を透明なカバー部材３４で被覆している。なお、案内装置３０および球旋回転動機構３２においては、遊技球が流下したり転動したりして通過し得る部分を透光性部材（例えば有色透明樹脂や無色透明樹脂）で形成し、遊技球の挙動を包囲枠体５の前方から視認可能としている。
【００２１】
次に、案内装置３０について説明する。
案内装置３０は、図２（ａ）および図３に示すように、当該案内装置３０の上部に横長な球受入部３５を備え、該球受入部３５の下方、言い換えると当該案内装置３０のうち球受入部３５よりも下流側に位置する箇所には、縦長な第１案内流路３６および第２案内流路３７を横方向（図３中、左右方向）に並べた状態で備え、球受入部３５の下流端３５ｂと、第１案内流路３６の上流端および第２案内流路３７の上流端との間には振分機構部３８を備えている。
【００２２】
球受入部３５は、遊技領域４、詳しくは遊技領域４のうち包囲枠体５の上方を流下する遊技球を案内装置３０へ受け入れるための球通路構成部材であり、遊技球が１個ずつ通過可能な程度の通路幅に設定され、当該球受入部３５の上流端を鎧部２２の段差部２２ａから遊技領域４の上方または側方へ開放している。また、図２（ｂ）に示すように、この上流開放口（球受入部３５の上流端）３５ａには開閉部材４０を備え、開閉部材４０を縦向き姿勢にして上流開放口３５ａを閉成すると、遊技球を球受入部３５へ受け入れることを規制し、開閉部材４０を横向き姿勢にして上流開放口３５ａを開放すると、遊技球を球受入部３５へ受け入れることを許容するように構成されている。さらに、球受入部３５の下流部を包囲枠体５の側部に配置するとともに下方へ屈曲し、球受入部３５の下流端３５ｂを後述する振分機構部３８の上部へ連通し、球受入部３５を通過してきた遊技球を振分機構部３８へ送り込むように構成されている。
【００２３】
第１案内流路３６は、装飾枠部２１の側縁に沿って縦向き円弧状に形成された流路であり、装飾枠部２１よりも前方に突出した状態でベースパネル２８の側部に配置されている（図２（ａ）参照）。そして、図３に示すように、第１案内流路３６の上流端となる第１上流開口３６ａを、振分機構部３８を挟んで球受入部３５の下流端３５ｂとは反対側に位置させるとともに振分機構部３８側へ向けて開放し、第１案内流路３６の下流端となる第１下流開口３６ｂを後述する球旋回転動機構３２を挟んで凹室１９の中央部とは反対側に位置させるとともに球旋回転動機構３２側へ向けて開放している。なお、第１案内流路３６の前面には装飾パネル４３を止着し、該装飾パネル４３のうち流下勢減衰突起４２の前方に位置する箇所には、カプセル状薬剤の形状を模した装飾部４３ａを形成している。
【００２４】
第２案内流路３７は、ベースパネル２８の前面の下寄り位置に止着された流路であり、注射針が下側となった姿勢の注射器のシリンダ形状を模して形成されている。また、第２案内流路３７の上流端となる第２上流開口３７ａを上方へ向けて開放し、この第２上流開口３７ａを球受入部３５の下流端３５ｂと第１案内流路３６の第１上流開口３６ａとの間へ下方から臨ませている。さらに、第２案内流路３７の下流端となる第２下流開口３７ｂをベースパネル２８の下端よりも下方に位置させるとともに、後方のベースパネル２８側へ向けて開放している。
【００２５】
振分機構部３８は、球受入部３５から受け入れた遊技球を第１案内流路３６または第２案内流路３７へ振り分けるための機構であり、球受入部３５の下流端３５ｂと第１案内流路３６の第１上流開口３６ａとの間に遊技球が転動可能な球転動路を備え、該球転動路に誘導部材を出没可能としている（いずれも図示せず）。そして、誘導部材を球転動路から上方へ突出して第１誘導状態へ変換すると、球転動路上の遊技球を第１案内流路３６の第１上流開口３５ａへ誘導し、誘導部材を球転動路の下方へ引き込んで第２誘導状態へ変換すると、球転動路上の遊技球を第２案内流路３７の第２上流開口３７ａへ誘導するように構成されている。
【００２６】
次に、球旋回転動機構３２について説明する。
球旋回転動機構３２は、図３〜図７に示すように、第２案内流路３７から流下してきた遊技球（言い換えると、遊技領域４から案内装置３０を通って流下してきた遊技球）を受け入れて当該球旋回転動機構３２内へ案内可能な案内供給路７０と、該案内供給路７０から流下してきた遊技球を旋回転動可能な擂り鉢状の旋回転動部材７１と、該旋回転動部材７１から落下してきた遊技球を保持可能な誘導回動部材７２と、該誘導回動部材７２を収容する収容ベース７３と、旋回転動部材７１および誘導回動部材７２を回動する旋回駆動部７４とを備えて構成されている。
【００２７】
案内供給路７０は、球旋回転動機構３２の上部に配置された樋状の屈曲流路であり、遊技球が１個通過可能な程度の流路幅に設定されており、当該案内供給路７０の上流側を第２案内流路３７の後方から包囲枠体５の前後方向に沿って延在し、下流側を包囲枠体５の左右方向に沿って延在している。そして、図３に示すように、案内供給路７０の上流端７０ａを後述する旋回転動部材７１の中心部よりも包囲枠体５の側部寄り（図３中、右寄り）に配置するとともに第２案内流路３７の第２下流開口３７ｂへ接続している。さらに、案内供給路７０の下流端７０ｂを旋回転動部材７１の中心部を挟んで案内供給路７０の上流端７０ａとは反対側（図３中、左側）の位置から旋回転動部材７１の上方に臨ませるとともに、旋回転動部材７１の周方向に沿って開放し、案内供給路７０内を流下してきた遊技球を旋回転動部材７１の上面の外周側へ供給するように構成されている。
【００２８】
旋回転動部材７１は、所謂クルーンと称される擂り鉢状の部材であり、当該旋回転動部材７１の中心には縦向きの旋回回動軸Ｃ１（図７（ｂ）参照）を設定し、図４および図５に示すように、当該旋回転動部材７１のうち旋回回動軸Ｃ１の近傍（言い換えると当該旋回転動部材７１の中心部分）には、複数（本実施形態では３つ）の球放出孔７７を上下方向に貫通して開設し、旋回転動部材７１上の遊技球を球放出孔７７へ通して旋回転動部材７１の下方へ放出可能としている。また、各球放出孔７７を旋回転動部材７１の周方向に沿って同位相ずつずれた位置（具体的には１２０度ずつ位相がずれた位置）に設定し、旋回転動部材７１の上面（遊技球が転動可能な上面）にはドーム状の隆起部７８を複数（本実施形態では３つ）隆起している。具体的には、旋回転動部材７１の上面のうち隣り合う球放出孔７７の間に隆起部７８を１つずつ配置している。
【００２９】
誘導回動部材７２は、旋回転動部材７１の直下に配置された横向き円盤状の部材であり、当該誘導回動部材７２の中心には縦向きの誘導回動軸Ｃ２（図７（ｂ）参照）を旋回回動軸Ｃ１と同一直線上に位置する状態で設定している。また、図６に示すように、誘導回動部材７２のうち球放出孔７７の下方に臨ませた箇所（詳しくは球放出孔７７の直下）には、遊技球を保持可能な球保持部８０を誘導回動部材７２の上方および側方へ向けて開放した状態で複数（本実施形態では３つ）形成し、各球保持部８０を誘導回動部材７２の周方向に沿って同位相ずつずれた位置（具体的には１２０度ずつ位相がずれた位置）に設定している。そして、球保持部８０のうちの１つを特定球保持部８０ａとするとともに、他の球保持部８０を一般球保持部８０ｂとし、特定球保持部８０ａの底部を閉塞して遊技球が特定球保持部８０ａから下方へ流下することを規制し、一般球保持部８０ｂの底部のうち誘導回動部材７２の外周側には、遊技球が１個通過可能な落下許容孔８２を開設して遊技球が一般球保持部８０ｂから下方へ流下することを許容している。なお、特定球保持部８０ａの誘導回動軸Ｃ２側の縁部には誘導起立壁８３を立設し、該誘導起立壁８３の上端を直上に位置する球放出孔７７の下縁部へ当接または近接している。また、一般球保持部８０ｂのうち誘導回動部材７２の外周縁に位置する箇所の下部には球放出阻止壁８４を設け、該球放出阻止壁８４に遊技球を係合して遊技球が一般球保持部８０ｂから誘導回動部材７２の半径方向に沿って外方へ放出されることを阻止できるように構成されている。
【００３０】
さらに、隣り合う球保持部８０の間には、遊技球を保持可能な副球保持部８６を誘導回動部材７２の上方および側方へ向けて開放した状態で形成し、副球保持部８６のうち誘導回動部材７２の半径方向に沿った長さを球保持部８０よりも短尺となる寸法に設定している。言い換えると、副球保持部８６の誘導回動軸Ｃ２側の縁部を球保持部８０の誘導回動軸Ｃ２側の縁部よりも誘導回動部材７２の外周寄りに配置している。また、副球保持部８６の底部には底部開放口８７を開設して遊技球が副球保持部８６から下方へ流下することを許容している。なお、副球保持部８６のうち誘導回動部材７２の外周縁に位置する箇所の下部には球放出阻止壁８８を設け、該球放出阻止壁８８に遊技球を係合して遊技球が副球保持部８６から誘導回動部材７２の半径方向に沿って外方へ放出されることを阻止できるように構成されている。
【００３１】
収容ベース７３は、ステージ部２５と第１案内流路３６の下部との間に配置される横向き平板状の部材であり、図６に示すように、当該収容ベース７３の上面には収容凹部９１を円形状に凹ませて形成し、該収容凹部９１内に誘導回動部材７２を回動自在な状態、且つ誘導回動部材７２の上面が露出した状態で収容している。また、収容ベース７３の上面のうち収容凹部９１の前方から側方に亘る箇所には、遊技球が１個ずつ転動可能な転動通路９２を形成し、該転動通路９２の上流端（収容ベース７３の側部に位置する部分）を第１案内流路３６の第１下流開口３６ｂに連通し（図３参照）、転動通路９２の下流端（収容凹部９１の前方に位置する箇所）を収容凹部９１へ接続して誘導回動部材７２の球保持部８０または副球保持部８６へ連通可能としている。
【００３２】
さらに、収容ベース７３（詳しくは、球旋回転動機構３２のうち旋回転動部材７１の下方に位置する収容ベース７３）には、一般球保持部８０ｂまたは副球保持部８６に保持された遊技球が進入可能な一般入球口（一般入賞口）９４と、特定球保持部８０ａに保持された遊技球が進入可能な特定入球口（特定入賞口）９５とを開設し、誘導回動部材７２が旋回転動部材７１と一般入球口９４および特定入球口９５との間に位置する状態に設定されている。具体的に説明すると、収容凹部９１の底面の第１案内流路３６側（図６中、右側）のうち、一般球保持部８０ｂの落下許容孔８２および副球保持部８６の底部開放口８７が重合し得る箇所には、遊技球が通過可能な円弧状の一般入球口９４を誘導回動軸Ｃ２が中心となって湾曲する状態で開設し、一般入球口９４と一般球保持部８０ｂまたは副球保持部８６とを連通可能としている。また、収容ベース７３のうち収容凹部９１を挟んで一般入球口９４とは反対側（図６中、左側）を特定球保持部８０ａの底部よりも一段凹ませて矩形状の特定空間部９７を形成し、収容凹部９１の特定空間部９７側（図６中、左側）の周縁部を切り欠いて収容凹部９１と特定空間部９７とを連通し、該特定空間部９７の底部に特定入球口９５を開設している。そして、特定入球口９５の直下には、特定入球口９５へ流下した遊技球を検出可能な特定入球検出センサ９８を備え、一般入球口９４および特定入球口９５の下方には球回収路（図示せず）を接続し、一般入球口９４および特定入球口９５に進入した遊技球を球回収路へ回収できるように構成されている。
【００３３】
旋回駆動部７４は、図５に示すように、収容ベース７３の下面側に旋回側モータブラケット１０１を備え、該旋回側モータブラケット１０１には、遊技制御装置から出力された駆動信号を受信して駆動する旋回駆動モータ１０２を出力軸が旋回回動軸Ｃ１および誘導回動軸Ｃ２に平行な上下方向へ延在する姿勢で配置し、該旋回駆動モータ１０２の出力軸と、旋回回動軸Ｃ１上および誘導回動軸Ｃ２上に配置される回動シャフト１０４とを複数のギア（旋回駆動ギア１０５、旋回貫通ギア１０６）で連結している。具体的には、図７に示すように、旋回駆動モータ１０２の出力軸に旋回駆動ギア１０５を止着し、該旋回駆動ギア１０５に回動軸が出力軸と平行な姿勢の旋回貫通ギア１０６を噛合し、該旋回貫通ギア１０６の中心部（回動軸上）に回動シャフト１０４を貫通した状態で止着している。さらに、回動シャフト１０４の上部を収容ベース７３の収容凹部９１の上方へ突出し、この突出部分を旋回転動部材７１の中心部（旋回回動軸Ｃ１上に位置する箇所）および誘導回動部材７２の中心部（誘導回動軸Ｃ２上に位置する箇所）へ挿通して、回動シャフト１０４、旋回貫通ギア１０６、旋回転動部材７１、誘導回動部材７２が共回りするように構成されている。言い換えると、旋回駆動部７４により旋回転動部材７１を旋回回動軸Ｃ１が中心となる状態で回動するとともに誘導回動部材７２を誘導回動軸Ｃ２が中心となる状態で回動し、さらには、誘導回動部材７２と旋回転動部材７１材とが同方向且つ同速度で回動可能としている。
【００３４】
また、回動シャフト１０４のうち旋回転動部材７１の上方へ突出した部分には円筒状の回動キャップ１０７を嵌合し、該回動キャップ１０７の外周面のうち特定球保持部８０ａの直上に位置する箇所には、下向き矢印形状を模した特定位置装飾部１０８を止着して、遊技者が特定位置装飾部１０８を見て特定球保持部８０ａの位置を把握できるように構成されている。なお、回動シャフト１０４のうち旋回貫通ギア１０６の下方へ突出した部分には、舌片状の検出片１１０が側方へ向けて突出した検出キャップ１１１を止着し、検出片１１０を旋回側モータブラケット１０１に備えられた回動検出センサ１１２で検出可能としている。そして、回動検出センサ１１２が検出片１１０を一定周期で検出することで、回動シャフト１０４が一定回転していること、ひいては球旋回転動機構３２が正常に動作していることを確認できるように構成されている。
【００３５】
次に、包囲枠体５の作用、特に、球旋回転動機構３２の作用について説明する。なお、遊技制御装置は、誘導部材を常時駆動して振分機構部３８を第１誘導状態と第２誘導状態とに繰り返し変換しているものとする。また、旋回駆動部７４へ駆動信号を出力して球旋回転動機構３２の旋回駆動モータ１０２を常時駆動し、旋回転動部材７１および誘導回動部材７２を常時一定速度で上方から見て反時計方向へ、言い換えると案内供給路７０の下流端７０ｂの開放方向に沿って回動しているものとする。
【００３６】
上記のような構成の包囲枠体５を遊技盤１に備え、遊技領域４を流下する遊技球が入賞具８に入賞すると、パチンコ遊技機（具体的には遊技制御装置）は抽選を行い、抽選の結果に基づいて大入賞口１２のみを開放したり、あるいは開閉部材４０のみを開いて球受入部３５の上流開放口３５ａを開放したりする。開閉部材４０が開いた状態で遊技球が球受入部３５内へ流入すると、この遊技球は、球受入部３５の下流端３５ｂから球転動路の上流部へ流入する。そして、振分機構部３８が第１誘導状態に変換している最中に遊技球が球転動路へ流入すると、案内装置３０は、遊技球を第１案内流路３６へ案内して第１下流開口３６ｂから球旋回転動機構３２の転動通路９２へ放出する。この放出された遊技球は、転動通路９２に沿って転動して誘導回動部材７２の前方（転動通路９２の下流端）へ到達し、回動している最中の誘導回動部材７２の球保持部８０（特定球保持部８０ａ、一般球保持部８０ｂ）または副球保持部８６へ誘導回動部材７２の外周側から進入して保持される。なお、球保持部８０または副球保持部８６に遊技球を保持した球旋回転動機構３２の作用については、後で詳細に説明する。一方、振分機構部３８が第２誘導状態に変換している最中に遊技球が球転動路へ流入すると、案内装置３０は、遊技球を第２案内流路３７へ案内して第２下流開口３７ｂから球旋回転動機構３２の案内供給路７０へ供給する。
【００３７】
遊技球が案内装置３０の第２案内流路３７から案内供給路７０へ供給されると、球旋回転動機構３２は、この遊技球を案内供給路７０の下流端７０ｂから旋回転動部材７１上へ排出する（図４参照）。そして、遊技球の排出速度が旋回転動部材７１の回動速度（詳しくは遊技球が落下する箇所の回動速度）よりも遅い場合には、遊技球は、旋回転動部材７１の回動方向と同じ方向に作用する摩擦力を旋回転動部材７１から受け、この摩擦力により加速しながら旋回転動部材７１上を旋回し始める。また、遊技球の排出速度が旋回転動部材７１の回動速度（詳しくは遊技球が落下する箇所の回動速度）に等しい場合には、旋回転動部材７１から摩擦力を受けず、案内供給路７０の下流端７０ｂからの排出時の勢いのままで旋回転動部材７１上を旋回し始める。さらに、遊技球の排出速度が旋回転動部材７１の回動速度よりも速い場合には、旋回転動部材７１の回動方向とは反対方向へ作用する摩擦力を旋回転動部材７１から受け、この摩擦力により旋回転動部材７１と同じ速度まで減速しようとしながら旋回転動部材７１上を旋回し始める。このように、旋回転動部材７１を案内供給路７０の下流端７０ｂの開放方向と同じ方向へ回動すれば、旋回転動部材７１上へ落下した遊技球の転動勢を増大したり、転動勢を維持したり、あるいは遊技球の転動勢が急激に低減することを抑えたりすることができる。したがって、旋回転動部材７１上の遊技球の挙動や、旋回転動部材７１上へ供給された遊技球が球放出孔７７に到達するまでの時間、言い換えると遊技者が旋回転動部材７１上の遊技球の挙動を観て楽しむ時間（球見せ時間）を変化させることができ、遊技の興趣の向上を図ることができる。
【００３８】
そして、旋回中の遊技球の転動勢が次第に減衰して遊技球に作用する遠心力が弱まると、遊技球は、旋回しながら旋回転動部材７１上の傾斜面を下って旋回回動軸Ｃ１側に近づく。さらに、この遊技球が隣り合う球放出孔７７の間に到達すると、球旋回転動機構３２は、回動している最中の旋回転動部材７１の隆起部７８に遊技球を係合して遊技球の転動勢を増大することができる。したがって、旋回転動部材７１上における遊技球の挙動や球見せ時間を変化させ易い。また、遊技球を隆起部７８に当接して球放出孔７７へ案内することができ、遊技球が隣り合う球放出孔７７の間に停留する不具合、ひいては旋回転動部材７１の下方に落下しないという不具合を回避することができる。そして、遊技球が隆起部７８に当接してから球放出孔７７へ落下したり、あるいは直接球放出孔７７へ落下したりして旋回転動部材７１の下方へ放出されると、球旋回転動機構３２は、誘導回動部材７２の一般球保持部８０ｂまたは特定球保持部８０ａに遊技球を受け入れて保持する。具体的には、遊技球が特定位置装飾部１０８の直下に位置する球放出孔７７へ落下すると、この遊技球を特定球保持部８０ａに受け入れて保持し、遊技球が特定位置装飾部１０８の直下から外れた球放出孔７７へ落下すると、この遊技球を一般球保持部８０ｂに受け入れて保持する。
【００３９】
さらに、球放出孔７７から落下してきた遊技球（言い換えると、第２案内流路３７に振り分けられて流下してきた遊技球）や、転動通路９２を転動してきた遊技球（言い換えると、第１案内流路３６に振り分けられて流下してきた遊技球）を球保持部８０または副球保持部８６に保持した状態で誘導回動部材７２を回動し続けると、球旋回転動機構３２は、遊技球を一般入球口９４へ誘導したり、特定入球口９５へ誘導したりする。具体的に説明すると、一般球保持部８０ｂに保持された遊技球は、誘導回動部材７２とともに誘導回動軸Ｃ２の周りを回動し、この回動に伴って発生した遠心力により一般球保持部８０ｂ内を移動して落下許容孔８２上に位置し、さらには球放出阻止壁８４に当接して一般球保持部８０ｂから側方へ外れることを阻止される。したがって、一般球保持部８０ｂが特定空間部９７と隣り合う状態になった場合であっても、遊技球が一般球保持部８０ｂから外れることがない。そして、一般球保持部８０ｂ（詳しくは落下許容孔８２）が一般入球口９４の上方に位置して一般入球口９４へ連通すると、遊技球は、一般球保持部８０ｂから一般入球口９４へ流下する。
【００４０】
また、副球保持部８６に保持された遊技球は、誘導回動部材７２とともに誘導回動軸Ｃ２の周りを回動し、この回動に伴って発生した遠心力により球放出阻止壁８８に当接した状態で底部開放口８７上に位置して、副球保持部８６から側方へ外れることを阻止される。したがって、副球保持部８６が特定空間部９７と隣り合う状態になった場合であっても、遊技球が副球保持部８６から外れることがない。そして、副球保持部８６（詳しくは底部開放口８７）が一般入球口９４の上方に位置して一般入球口９４へ連通すると、遊技球は、副球保持部８６から一般入球口９４へ流下する。
【００４１】
さらに、特定球保持部８０ａに保持された遊技球は、誘導回動部材７２とともに誘導回動軸Ｃ２の周りを回動し、この回動に伴って発生した遠心力により特定球保持部８０ａ内を移動して収容凹部９１の周縁部に当接（摺接）し、特定球保持部８０ａから側方へ外れることを阻止される。また、特定球保持部８０ａの底部を閉塞しているため、特定球保持部８０ａが一般入球口９４の上方に位置したとしても、遊技球が一般入球口９４へ流下することがない。そして、特定球保持部８０ａが特定空間部９７と隣り合う状態となった場合には、特定球保持部８０ａと特定空間部９７とが連通し、遊技球が収容凹部９１の周縁部から外れて特定球保持部８０ａから特定空間部９７へ流下し、さらには特定入球口９５へ流下する。このようにして球旋回転動機構３２は、一般球保持部８０ｂまたは副球保持部８６に保持された遊技球を特定入球口９５へ誘導せずに一般入球口９４へ誘導し、特定球保持部８０ａに保持された遊技球を一般入球口９４へ誘導せずに特定入球口９５へ誘導する。したがって、旋回転動部材７１を回動していたとしても、この旋回転動部材７１から落下してきた遊技球を一般入球口９４あるいは特定入球口９５へ支障なく誘導することができる。
【００４２】
そして、遊技球が特定入球口９５へ進入したことを特定入球検出センサ９８が検出すると、遊技制御装置は、この検出信号を受信して、遊技者にとって有利な特定遊技状態（大当たり状態）を発生する。具体的には、大入賞口１２を一定時間だけ開放し、遊技領域４を流下する遊技球が大入賞口１２へ入賞し易いように設定する。
【００４３】
なお、上記実施形態では、旋回転動部材７１および誘導回動部材７２を案内供給路７０の下流端７０ｂの開放方向に沿って回動したが、本発明はこれに限定されない。例えば、旋回転動部材７１および誘導回動部材７２を常時一定速度で案内供給路７０の下流端７０ｂの開放方向とは反対方向へ回動してもよい。この反対方向への回動状態で遊技球が案内供給路７０から旋回転動部材７１上へ放出されると、遊技球は、旋回転動部材７１の回動方向と同じ方向に作用する摩擦力、すなわち遊技球の放出方向とは反対方向に作用する摩擦力を受け、この摩擦力により急激に減速しながら旋回転動部材７１上を旋回し始めたり、あるいは遊技球の放出方向とは反対方向に沿って旋回転動部材７１上を旋回し始めたりすることができる。したがって、旋回転動部材７１および誘導回動部材７２を案内供給路７０の下流端７０ｂの開放方向とは反対方向へ回動した場合であっても、旋回転動部材７１上の遊技球の挙動を変化させることができ、遊技の興趣の向上を図ることができる。さらに、遊技球が摩擦力に抗して旋回転動部材７１の回動方向とは反対方向（すなわち案内供給路７０の下流端７０ｂの開放方向と同じ方向）に沿って旋回し続けた場合に、この状態で隣り合う球放出孔７７の間に到達すると、球旋回転動機構３２は、回動している最中の旋回転動部材７１の隆起部７８に遊技球を衝突（係合）し、この衝突時に発生する衝撃により遊技球の転動勢を減衰させることができる。したがって、旋回転動部材７１上における遊技球の挙動や球見せ時間を変化させ易い。
【００４４】
ところで、上記実施形態では、旋回転動部材７１および誘導回動部材７２を常時回動する状態に設定したが、本発明はこれに限定されない。例えば、図８に示す第２実施形態では、遊技球が案内供給路７０に流下すると、旋回転動部材７１および誘導回動部材７２の回動を開始するように構成されている。具体的に説明すると、第２実施形態における球旋回転動機構３２は、図８（ａ）に示すように、案内供給路７０の下流側に、案内供給路７０内を流下する遊技球を検出可能な検出装置（検出センサ）１１５を備え、該検出装置１１５から発生する遊技球の検出信号を遊技制御装置へ送信可能としている。
【００４５】
このような構成の球旋回転動機構３２を備えたパチンコ遊技機において、球旋回転動機構３２内に遊技球が転動していない常態では、遊技制御装置は、旋回駆動部７４への駆動信号の出力を停止して球旋回転動機構３２の旋回駆動モータ１０２、ひいては旋回転動部材７１および誘導回動部材７２を停止した状態に維持する。そして、図８（ｂ）に示すように、遊技球が案内供給路７０を流下して検出装置１１５により検出されると、遊技制御装置は、旋回転動部材７１および誘導回動部材７２を予め設定された回動時間ＴＲに亘って回動する制御を行う。詳しくは、検出装置１１５が遊技球を検出したことに基づいて（言い換えると、遊技球を検出装置１１５で検出したタイミングで）旋回駆動モータ１０２の駆動を開始（ＯＮ）して旋回転動部材７１および誘導回動部材７２を一定速度で回動し、この回動状態を予め設定された回動時間ＴＲ（例えば、１秒間）に亘って継続する。すると、この回動時間ＴＲの間に遊技球が旋回転動部材７１上に落下して旋回転動部材７１から受ける摩擦力により加速したり、あるいは減速したりする。さらに、回動時間ＴＲが経過したならば、旋回駆動モータ１０２を停止（ＯＦＦ）して旋回転動部材７１および誘導回動部材７２の回動動作を停止する。すると、旋回転動部材７１上を旋回する遊技球の転動勢が次第に減衰して遊技球に作用する遠心力が弱まり、遊技球が旋回しながら旋回転動部材７１上の傾斜面を下り、球放出孔７７へ落下していずれかの球保持部８０へ保持される。したがって、旋回転動部材７１が回動し続けて遊技球の旋回運動を維持する不都合、ひいては遊技球が球放出孔７７へ到達せず、遊技が進まないという不都合を避けることができる。また、旋回転動部材７１を常時回動しておく必要がなく、パチンコ遊技機の消費電力の低減を図ることができる。
【００４６】
なお、遊技制御装置は、旋回駆動モータ１０２を停止してから一定時間（例えば、旋回転動部材７１上の遊技球が球放出孔７７へ流下するまでに十分な時間）が経過した場合には、検出装置１１５が後続の遊技球を検出したか否かに拘らず旋回駆動モータ１０２を再駆動して誘導回動部材７２および旋回転動部材７１を再び回動し、球保持部８０に保持されている遊技球を一般入球口９４あるいは特定入球口９５へ誘導することが好ましい。
【００４７】
ところで、上記実施形態では、旋回転動部材７１および誘導回動部材７２を一定速度で回動するように設定したが、本発明はこれに限定されない。例えば、図９に示す第３実施形態では、案内供給路７０を続けて流下する２個の遊技球の速度を比較し、この比較結果に基づいて旋回転動部材７１の回動速度を変化できるように構成されている。具体的に説明すると、第３実施形態における球旋回転動機構３２は、図９（ａ）に示すように、案内供給路７０のうち包囲枠体５の左右方向に沿って延在する部分に、複数の検出部から構成された検出装置１１７を備えている。詳しくは、案内供給路７０のうち包囲枠体５の左右方向に沿って延在する部分の上流側に上流側検出部１１７ａを備え、下流側には下流側検出部１１７ｂを上流側検出部１１７ａから離間した状態で備え、案内供給路７０内を流下する遊技球を各検出部１１７ａ，１１７ｂにより検出できるように構成されている。また、遊技制御装置は、案内供給路７０内を流下する遊技球を上流側検出部１１７ａで検出してから下流側検出部１１７ｂで検出するまでの時間と、上流側検出部１１７ａから下流側検出部１１７ｂまでの離間距離とから球速度を算出し、該球速度に基づいて旋回転動部材７１の回動速度を設定できるように構成されている。
【００４８】
このような構成を備えたパチンコ遊技機において、球旋回転動機構３２内に遊技球が転動していない常態では、遊技制御装置が旋回駆動部７４への駆動信号の出力を停止して球旋回転動機構３２の旋回駆動モータ１０２、ひいては旋回転動部材７１および誘導回動部材７２を停止した状態に維持する。また、旋回駆動モータ１０２を駆動した場合には、旋回転動部材７１および誘導回動部材７２を案内供給路７０の下流端７０ｂの開放方向に沿って回動するように設定しておく。そして、案内供給路７０に２個の遊技球（詳しくは第１遊技球Ｐ１、および該第１遊技球Ｐ１に後続する第２遊技球Ｐ２）が流下すると、遊技制御装置は、まず、第１遊技球Ｐ１を上流側検出部１１７ａで検出してから下流側検出部１１７ｂで検出するまでの時間Ｔ１（図９（ｂ）参照）と、上流側検出部１１７ａから下流側検出部１１７ｂまでの離間距離Ｄ（図９（ａ）参照）とから第１球速度を算出し、この算出された第１球速度に基づいて第１回動速度Ｖ１を決定する。第１回動速度Ｖ１を決定したならば、図９（ｂ）に示すように、下流側検出部１１７ｂが第１遊技球Ｐ１の検出したことに基づいて（言い換えると、第１遊技球Ｐ１を下流側検出部１１７ｂで検出したタイミングで）旋回駆動モータ１０２の駆動を開始（ＯＮ）して旋回転動部材７１および誘導回動部材７２を第１回動速度Ｖ１で回動し、この回動状態を予め設定された回動時間ＴＲ１（例えば、１秒間）に亘って継続する。すると、この回動時間ＴＲ１の間に第１遊技球Ｐ１が旋回転動部材７１上に落下して旋回転動部材７１から受ける摩擦力により加速したり、あるいは減速したりする。そして、回動時間ＴＲ１が経過したならば、旋回駆動モータ１０２を停止（ＯＦＦ）して旋回転動部材７１および誘導回動部材７２の回動動作を停止する。
【００４９】
引き続いて、第２遊技球Ｐ２を上流側検出部１１７ａで検出してから下流側検出部１１７ｂで検出するまでの時間Ｔ２（図９（ｂ）参照）と、上流側検出部１１７ａから下流側検出部１１７ｂまでの離間距離Ｄとから第２球速度を算出し、この算出された第２球速度に基づいて第２回動速度Ｖ２を決定する。ここで、第１球速度と第２球速度とを比較し、第２球速度が第１球速度よりも速い場合には、第２回動速度Ｖ２を第１回動速度Ｖ１よりも低速の値に設定する。そして、第２回動速度Ｖ２を決定したならば、図９（ｂ）に示すように、下流側検出部１１７ｂが第２遊技球Ｐ２を検出したことに基づいて（言い換えると、第２遊技球Ｐ２を下流側検出部１１７ｂで検出したタイミングで）旋回駆動モータ１０２の駆動を開始（ＯＮ）して旋回転動部材７１および誘導回動部材７２を第２回動速度Ｖ２で回動し、この回動状態を予め設定された回動時間ＴＲ２（例えば、１秒間）に亘って継続する。すると、この回動時間ＴＲ２の間に第２遊技球Ｐ２が旋回転動部材７１上に落下して旋回転動部材７１から受ける摩擦力により加速したり、あるいは減速したりして、当該第２遊技球Ｐ２の転動勢を第１遊技球Ｐ１の転動勢（詳しくは、旋回転動部材７１上に落下した時の第１遊技球Ｐ１の転動勢）と同じ程度に近づけることができる。そして、回動時間ＴＲ２が経過したならば、旋回駆動モータ１０２を停止（ＯＦＦ）して旋回転動部材７１および誘導回動部材７２の回動動作を停止する。
【００５０】
このようにして旋回転動部材７１を案内供給路７０の下流端７０ｂの開放方向に沿って回動する状態に設定し、且つ、第２球速度が第１球速度よりも速い場合には、第２回動速度Ｖ２を第１回動速度Ｖ１よりも低速に設定すれば、旋回転動部材７１上における転動勢が遊技球毎に極端にばらつくこと、ひいては、球見せ時間が極端に短くなる場合が生じてしまう不都合を避けることができる。また、旋回転動部材７１を常時一定速度で回動しておく必要がなく、パチンコ遊技機の消費電力の低減を図ることができる。
【００５１】
なお、旋回転動部材７１を案内供給路７０の下流端７０ｂの開放方向に沿って回動する状態において、第２球速度が第１球速度よりも遅い場合には、第２回動速度ＶＲ２を第１回動速度ＶＲ１よりも高く設定し、また、第２球速度が第１球速度と略同じである場合には、第２回動速度ＶＲ２を第１回動速度ＶＲ１と等しく設定するとすれば、第２球速度が第１球速度よりも速くなった場合に限らず、旋回転動部材７１上における転動勢が遊技球毎に極端にばらつくことを避けることができて好適である。
【００５２】
さらに、第３実施形態における遊技制御装置は、旋回駆動モータ１０２を駆動した場合には、旋回転動部材７１および誘導回動部材７２を案内供給路７０の下流端７０ｂの開放方向とは反対方向に沿って回動するように設定してもよい。そして、案内供給路７０に第１遊技球Ｐ１および第２遊技球Ｐ２が流下すると、第１球速度および第２球速度を算出して第１球速度と第２球速度とを比較し、第２球速度が第１球速度よりも速い場合には、第２回動速度を第１回動速度よりも高速の値に設定するように構成してもよい。このようにすれば、旋回転動部材７１が遊技球の案内供給路７０からの放出方向とは反対方向へ回動している場合であっても、旋回転動部材７１上における転動勢が遊技球毎に極端にばらつくこと、ひいては、球見せ時間が極端に短くなる場合が生じてしまう不都合を避けることができる。また、旋回転動部材７１を常時一定速度で回動しておく必要がなく、パチンコ遊技機の消費電力の低減を図ることができる。そして、遊技制御装置は、遊技の進行状況を判断して、旋回転動部材７１および誘導回動部材７２を案内供給路７０の下流端７０ｂの開放方向に沿って回動したり、または開放方向とは反対方向に沿って回動したりするように設定してもよいし、あるいは常時開放方向とは反対方向に沿って回動したりするように設定してもよい。
【００５３】
ところで、上記実施形態においては、旋回転動部材７１と誘導回動部材７２とに単一の回動シャフト１０４を挿通して旋回転動部材７１と誘導回動部材７２とを共回りする状態に構成したが、本発明はこれに限定されない。要は、誘導回動部材７２が旋回回動軸Ｃ１と同一直線上に位置する誘導回動軸Ｃ２を中心にして旋回転動部材７１と同方向且つ同速度で回動できればどのような構成であってもよい。例えば、旋回転動部材７１材を軸着するシャフトと、誘導回動部材７２を軸着するシャフトとを別個に備え、各シャフトを同一直線上に配置し、同方向且つ同速度で回動できるように構成してもよい。さらに、旋回転動部材７１の回動速度を遊技球の速度に応じて変化させる場合には、第３実施形態のように第１遊技球Ｐ１と第２遊技球Ｐ２の流下速度を比較して回動速度を決定するのではなく、遊技球の流下速度に対する旋回転動部材７１の回動速度を予め複数設定しておき、検出された遊技球の流下速度によって旋回転動部材７１の回動速度を決定するようにしてもよい。
【００５４】
また、上記実施形態においては、案内装置３０および球旋回転動機構３２を包囲枠体５内に備えたが、本発明はこれに限定されず、遊技領域４を流下する遊技球が流入可能であれば、遊技領域４のどの場所に配置されてもよい。例えば、遊技領域４のうち包囲枠体５の外方の位置に配置してもよい。さらに、上記実施形態では、一般入球口および特定入球口に進入した遊技球を球回収路へ回収したが、本発明はこれに限定されない。例えば、一般入球口および特定入球口をゲートタイプの入球口とし、一般入球口および特定入球口を通過した遊技球が再び遊技領域を流下するように構成してもよい。
【００５５】
また、上記実施形態では、代表的な遊技機であるパチンコ遊技機を例にして説明したが、本発明はこれに限らず、遊技盤の表面に区画形成された遊技領域に、遊技球を旋回転動可能な球旋回転動機構を備えた遊技機であればどのような遊技機でもよい。例えば、封入球式パチンコ機、アレンジボール式遊技機、雀球式遊技機等の遊技機であってもよい。
【００５６】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００５７】
【図１】遊技盤の正面図である。
【図２】（ａ）は包囲枠体の斜視図、（ｂ）は開閉部材の部分拡大図である。
【図３】包囲枠体内における案内装置および球旋回転動機構の斜視図である。
【図４】球旋回転動機構の平面図である。
【図５】球旋回転動機構の主要部の後方から見た斜視図である。
【図６】球旋回転動機構の主要部の前方から見た斜視図である。
【図７】旋回転動部材および誘導回動部材を軸着する旋回駆動部の説明図であり、（ａ）は斜視図、（ｂ）は分解斜視図である。
【図８】第２実施形態における球旋回転動機構の説明図であり、（ａ）は平面図、（ｂ）は球旋回転動機構の動作を示すタイムチャートである。
【図９】第３実施形態における球旋回転動機構の説明図であり、（ａ）は平面図、（ｂ）は球旋回転動機構の動作を示すタイムチャートである。
【符号の説明】
【００５８】
１  遊技盤
４  遊技領域
５  包囲枠体
１８  枠体基部
２１  装飾枠部
２２  鎧部
２２ａ  段差部
２８  ベースパネル
３０  案内装置
３２  球旋回転動機構
３５  球受入部
３６  第１案内流路
３７  第２案内流路
３８  振分機構部
７０  案内供給路
７０ａ  上流端
７０ｂ  下流端
７１  旋回転動部材
７２  誘導回動部材
７３  収容ベース
７４  旋回駆動部
７７  球放出孔
７８  隆起部
８０  球保持部
８０ａ  特定球保持部
８０ｂ  一般球保持部
８６  副球保持部
９２  転動通路
９４  一般入球口
９５  特定入球口
９７  特定空間部
９８  特定入球検出センサ
１０２  旋回駆動モータ
１０４  回動シャフト
１１５  検出装置
１１７  検出装置
１１７ａ  上流側検出部
１１７ｂ  下流側検出部
【図１】
0004954940.tif 000002
【図２】
0004954940.tif 000003
【図３】
0004954940.tif 000004
【図４】
0004954940.tif 000005
【図５】
0004954940.tif 000006
【図６】
0004954940.tif 000007
【図７】
0004954940.tif 000008
【図８】
0004954940.tif 000009
【図９】
0004954940.tif 000010